【事件の表示】
　特願２００１−３２５２１２「液晶表示装置とその駆動装置及びその方法」拒絶査定不服審判事件〔平成１４年　７月１９日出願公開、特開２００２−２０２７６７〕について、次のとおり審決する。
【結　論】
　本件審判の請求は、成り立たない。
【理　由】
１　手続の経緯
　本願は、平成１３年１０月２３日（パリ条約による優先権主張２０００年１０月２５日、２００１年３月１５日、大韓民国）の出願であって、平成２０年７月３０日付け（送達日：同年８月５日）で拒絶査定がなされ、これに対して同年１１月４日に拒絶査定不服審判の請求がなされるとともに、同年同月２０日付けで手続補正（以下、「補正１」という。）がなされたものである。
　
２　本願発明
　補正１によって特許請求の範囲についてする補正は、請求項の削除を目的とするものであるから適法な補正である。
　したがって、請求項１に係る発明（以下「本願発明」という。）は、補正１によって補正された本願明細書及び図面の記載からみて、請求項１に記載された事項により特定される以下のとおりである。
「　複数のゲートライン、
　複数のデータライン、
　各々が前記複数のゲートラインのいずれかと前記複数のデータラインのいずれかとに連結され、そのゲートラインからの走査信号に応じて動作する複数のスイッチング素子、及び、
　前記複数のスイッチング素子の各々に一つずつ連結されて、そのスイッチング素子の動作に応じて、そのスイッチング素子に連結されたデータラインから画像信号を受ける複数の画素電極、
を備えているＬＣＤパネルと、
　前記複数のゲートラインに走査信号を順番に出力するゲートドライバーと、
　前記複数のデータラインに画像信号を出力するデータドライバーと、
　所定のバックライト駆動電圧を出力する電力変換器と、
　前記ＬＣＤパネルの後面に配置され、前記バックライト駆動電圧に応じた輝度で光を前記ＬＣＤパネルの後面に照射するバックライト部と、
　外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部、
を含む液晶表示装置であり、
　前記タイミング制御部は、前記映像信号の特性をチェックして、前記映像信号の示す映像の種類が動映像と停止映像とのいずれであるのかを判別し、
　前記映像信号の示す映像の種類が動映像であると判定した場合には、前記映像信号によって要求される輝度の高低に応じて、バックライト制御信号の示すバックライト駆動電圧のレベルを調節することによって前記バックライト部の輝度を増減させ、
　前記映像信号の示す映像の種類が停止映像であると判定した場合には、バックライト制御信号の示すバックライト駆動電圧のレベルを一定に維持することによって前記バックライト部の輝度を一定に制御する、
液晶表示装置。」
　
３　引用刊行物に記載された事項・引用発明
　原査定の拒絶の理由に引用され、本願の最先の優先日前に頒布された刊行物である、実願平４−８３４４５号（実開平６−４７９８９号）のＣＤ−ＲＯＭ（以下、「引用刊行物」という。）には、「表示装置」（考案の名称）に関して、次の事項が図面とともに記載されている。
　
＜記載事項１＞
「      【０００１】
  【産業上の利用分野】
  本考案は、異なる種類の映像信号を受けていずれにおいても映像表示が可能である表示装置に関するものである。」
　
＜記載事項２＞
「      【０００２】
  【従来の技術】
  従来における液晶表示（以下「ＬＣＤ］という）装置のブロック図を図４に示す。液晶モジュール１２は、ＬＣＤ駆動回路３、ＬＣＤパネル６、インバータ回路５、バックライト装置７、手動輝度調節回路８等から構成される。」
　
＜記載事項３＞
「      【０００３】
  同図において、映像信号発生源１’は、画像形成情報を有している映像信号Ｓ１をＬＣＤ駆動回路３に供給する。ＬＣＤ駆動回路３は、映像信号Ｓ１に基づきＬＣＤパネル６上に画像を形成するためのＬＣＤ駆動信号Ｓ２を生成しＬＣＤパネル６に出力する。複数の液晶表示素子をマトリックス状に配したＬＣＤパネル６においては、ＬＣＤ駆動信号Ｓ２に従って各素子の電極に印加される電圧が加減されることにより各画素の透過率を調整する。」
　
＜記載事項４＞
「      【０００５】
  インバータ回路５は、直流電源の電圧Ｖｃｃを安定な交流電圧であるバックライト電圧Ｖ１に変換しバックライト装置７に供給する。前記手動調整信号Ｖｈがインバータ回路５に入力される場合、バックライト電圧Ｖ１はこの手動調整信号Ｖｈにより調整を受ける。バックライト装置７は、蛍光管等で構成され画像を表示するための光源であり、上記ＬＣＤパネル６の後部に位置する。バックライト装置７の発する光は、ＬＣＤパネル６を後ろから照射し、透過率の高い画素では多量の光束が透過され明るくなり、逆に透過率の低い画素では光束が透過されずに暗くなる。透過後の光は、視聴者の眼（図示せず）に直接入射されるか、スクリーン（図示せず）に投影される。」
　
＜記載事項５＞
「      【０００６】
  【考案が解決しようとする課題】
  上述のようにＬＣＤ表示装置では、画像表示面の輝度の調整及び切換については、バックライト電圧Ｖ１を視聴者が手動輝度調節回路８の操作部材によって手動でその調整を行っている。一般にビデオ映像等の動画像（以下「ＡＶ画像」という）は中間色が多く画面が暗くなりがちであり、鮮明な画像を求めるには高輝度な画面が必要となる。一方、パーソナルコンピュータ等の静止画像（以下「ＯＡ画像」）は光の３原色を基本とした合成色が多く高輝度となる。また、ＯＡ画像は長時間使用し静止画も多いため消費電力や眼の疲労を考慮すれば、むしろＡＶ画像よりも低い輝度であることが望ましい。」
　
＜記載事項６＞
「      【００１３】
  【実施例】
  まず、本考案を実施したＬＣＤ装置のブロック図を図１に示す。同図において、図４において示したものと同じ箇所には同じ符号を付し説明を省略する。液晶モジュール１０は、ＬＣＤ駆動回路３、ＬＣＤパネル６、輝度切換回路４、インバータ回路５、バックライト装置７、手動輝度調節回路８等から構成される。映像信号発生源１ａは、ＡＶ画像用の映像信号Ｓ１ａをＬＣＤ駆動回路３に供給する。映像信号発生源１ｂは、ＯＡ画像用の映像信号Ｓ１ｂをＬＣＤ駆動回路３に供給する。」
　
＜記載事項７＞
「      【００１８】
  インバータ回路５におけるブロック図を図５に示す。図５において、輝度切換回路４からは制御信号Ｖｒが、さらに後述すように手動輝度調節回路８からは輝度を手動で調節した結果として電圧レベルＶｈの信号がインバータ制御回路２４に入力されている。インバータ制御回路２４は、制御信号Ｖｒと電圧Ｖｈの和に基づいた制御信号Ｖ２を降圧チョッパ回路２５に出力する。制御信号Ｖｒが高めのバイアス電圧Ｖｒａに等しい場合、制御信号Ｖ２は高めの電圧レベル（Ｖ２ａ＋Ｖｈ）に設定される。同様に、制御信号Ｖｒが低めのバイアス電圧Ｖｒｂに等しい場合、制御信号Ｖ２は低めの電圧レベル（Ｖ２ｂ＋Ｖｈ）に設定される。
  降圧チョッパ回路２５は、与えられている直流の電源電圧Ｖｃｃを制御信号Ｖ２の電圧レベルに応じて降圧し降圧直流電圧Ｖ３として点灯用インバータの端子２１に出力する。このとき、ＡＶ用画像が選択された場合、降圧直流電圧Ｖ３の値は大きくなり（Ｖ２ａ＋Ｖｈ）、ＯＡ用画像が選択された場合、降圧直流電圧Ｖ３の値は小さくなる（Ｖ２ｂ＋Ｖｈ）。」
　
＜記載事項８＞
「      【００１９】
  点灯用インバータ２６の簡略化した回路図を図６に示す。同図において、サイリスタＳＲ１、ＳＲ２の端子１９、２０には、高周波数ｆを有し位相がπだけずれた２つの同期信号が入力されているのでサイリスタＳＲ１、ＳＲ２は期間ｆ／２毎に導通状態及び非導通状態を交互に繰り返す。端子２１から降圧直流電圧Ｖ３が供給されており、サイリスタＳＲ１、ＳＲ２が交互に導通しているので、コンデンサＣには交互に極性を変えて降圧直流電圧Ｖ３が印加される。従って、トランスＴのａ側において高周波数ｆを有し降圧直流電圧Ｖ３に比例する実効値を持つ交流電圧が生じるので、これに誘導されトランスＴのｂ側では、高周波数ｆと降圧直流電圧Ｖ３に比例する実効値を有する交流電圧としてバックライト電圧Ｖ１が端子２２、２３を介してバックライト装置７に供給される。故に、バックライト電圧Ｖ１の実効値は、ＡＶ用画像が選択された場合には大きくなり、ＯＡ用画像が選択された場合には小さくなる。」
　
＜記載事項９＞
「      【００２０】
  従って自動的に、ＡＶ画像の選択時にはバックライト装置７が発する光が明るくなるのでＬＣＤパネル６の画像表示面の輝度が高くなり、ＯＡ画像の選択時にはバックライト装置７の発する光が暗くなるのでＬＣＤパネル６の画像表示面の輝度が低くなる。」
　
＜記載事項１０＞
「      【００２３】
  次に、入力された映像信号Ｓ１から映像信号の種類を自動的に判別する信号判別回路９を液晶モジュール１１が有している回路図を図３に示す。同図において、図１、４において示したものと同じ箇所には同じ符号を付し説明を省略する。」
　
＜記載事項１１＞
「      【００２４】
  映像信号Ｓ１がＯＡ画像用の映像信号であればその水平同期信号の周波数が高く（例えば約３０ＫＨｚ）、映像信号Ｓ１がＡＶ画像用の映像信号であれば、その水平同期信号の周波数が低い（約１５ＫＨｚ）。従って、信号判別回路９は、映像信号Ｓ１の水平同期信号をカウンタによりカウントして、その値がしきい値より大きければ映像信号Ｓ１をＯＡ用の映像信号と判断し、”Ｌｏｗ”レベルに切り換えた判定信号Ｓ４を輝度切換回路４に出力する。逆にその値がしきい値より小さければ映像信号Ｓ１をＡＶ用の映像信号と判断し、”Ｈｉｇｈ”レベルに切り換えた判定信号Ｓ４を輝度切換回路４に出力する。」
　
＜記載事項１２＞
「      【００２５】
  この場合図２においてソース切換回路２が無くその位置に信号判別回路９があり、輝度切換回路４のリレースイッチ１３の端子ｄにはスイッチを切り換える信号として判定信号Ｓ４が入力される。入力された判定信号Ｓ４が”Ｈｉｇｈ”レベルの時は端子ａと端子ｃが導通し、端子ｄに入力された判定信号Ｓ４が”Ｌｏｗ”レベルの時は端子ｂと端子ｃが導通する。バイアス抵抗Ｒ１、Ｒ２、Ｒ３によって直流電源電圧Ｖｃｃが分圧されて得られた高めのバイアス電圧Ｖｒａが端子ａに印加されており、同様に低めのバイアス電圧Ｖｒｂが端子ｂに印加されている。」
　
＜記載事項１３＞
「      【００２６】
  従って、ＡＶ画像が選択されているときは端子１４を介してインバータ回路５にバイアス電圧Ｖｒａが印加され、逆にＯＡ画像が選択されているときは端子１４を介してインバータ回路５にバイアス電圧Ｖｒｂが印加される。これらいずれかのバイアス電圧Ｖｒａ、Ｖｒｂを、輝度切換回路４は、バックライト電圧Ｖ１を切り換える制御信号Ｖｒとしてインバータ回路５に出力する。故に、入力された映像信号Ｓ１の種類に応じて、画像表示面の最適な輝度になるように自動的に切り換えられることになる。」
　
＜記載事項１４＞
「      【００３０】
  また、互いに異なる映像の輝度の差を自動的に無くすと共に、表示装置の低消費電力化が実現できる。」
　
＜記載事項１５＞
「      【００３１】
  更に、画面を継続して見続けることによる視聴者の眼の疲労をかなり軽減することができる。」
　
　そして、上記記載事項１ないし１５、及び、図３に基づけば、引用刊行物から、下記（ア）ないし（コ）の事項が、読みとれる。
　
・記載事項３から、
（ア）ＬＣＤパネル６は、複数の液晶表示素子をマトリックス状に配したものである点。
　
・記載事項４から、
（イ）インバータ回路５は、バックライト電圧Ｖ１をバックライト装置７に供給するものである点。
　
・記載事項４から、
（ウ）バックライト装置７はＬＣＤパネル６の後部に位置し、バックライト装置７が発する光はＬＣＤパネル６を後ろから照射する点。
　
・記載事項８によれば、バックライト電圧Ｖ１は、ＡＶ用画像が選択された場合には大きくなり、ＯＡ用画像が選択された場合には小さくなるものであり、また、記載事項９には、ＡＶ画像の選択時には、バックライト装置７が発する光が明るくなるのでＬＣＤパネル６の画像表示面の輝度が高くなり、ＯＡ画像の選択時には、バックライト装置７の発する光が暗くなるのでＬＣＤパネル６の画像表示面の輝度が低くなると記載されていることから、
（エ）バックライト装置７は、バックライト電圧Ｖ１に応じた輝度で、光を発する点。
　
・上記（ウ）及び（エ）から、
（オ）バックライト装置７は、ＬＣＤパネル６の後部に位置し、前記バックライト電圧Ｖ１に応じた輝度で光をＬＣＤパネル６の後ろから照射する点。
　
・記載事項３、１０及び図３から、
（カ）ＬＣＤ駆動回路３は、映像信号発生源１’から供給される映像信号Ｓ１に基づき、ＬＣＤ駆動信号Ｓ２を生成してＬＣＤパネル６に出力する点。
　
・記載事項１０、１１及び図３によれば、
（キ）信号判別回路９が、映像信号Ｓ１の水平同期信号をカウンタによりカウントして、その値がしきい値より小さければ前記映像信号Ｓ１をＡＶ用の映像信号と判断し、その値がしきい値より大きければ前記映像信号Ｓ１をＯＡ用の画像信号と判断し、
　前記映像信号Ｓ１がＡＶ用の映像信号であると判断された場合には、”Ｈｉｇｈ”レベルに切り換えた判定信号Ｓ４を輝度切換回路４に出力し、
　前記映像信号Ｓ１がＯＡ用の映像信号であると判定された場合には、”Ｌｏｗ”レベルに切り換えた判定信号Ｓ４を輝度切換回路４に出力する点。
　
・上記（キ）、記載事項１３及び図３によれば、輝度切換回路４は、信号判別回路９から入力される判定信号Ｓ４に応じて、インバータ回路５にバックライト電圧Ｖ１を切り換える制御信号Ｖｒを印加するものであり、そして、該判定信号Ｓ４は、映像信号発生源１’から供給される映像信号Ｓ１に基づくものであるから、
（ク）輝度切換回路４は、映像信号発生源１’から供給される映像信号Ｓ１に応じて、インバータ回路５にバックライト電圧Ｖ１を切り換える制御信号Ｖｒを出力する点。
　
・記載事項７、８、９、１１、１３及び図３によれば、輝度切換回路４からの制御信号Ｖｒに基づいて、インバータ回路５は、ＡＶ画像の選択時の制御信号Ｖｒが入力されたときは、バックライト電圧Ｖ１を大きくすることでバックライト装置７が発する光を明るくし、ＯＡ画像の選択時の制御信号Ｖｒが入力されたときは、バックライト電圧Ｖ１を小さくすることでバックライト装置７が発する光を暗くするものであるから、
（ケ）輝度切換回路４は、
　信号判別回路９において、前記映像信号Ｓ１がＡＶ画像用の映像信号であると判定された場合には、ＡＶ画像用のバイアス電圧Ｖｒａを制御信号Ｖｒとしてインバータ５に出力することで、バックライト電圧Ｖ１を大きくして、バックライト装置７が発する光を明るくし、
　信号判別回路９において、前記映像信号Ｓ１がＯＡ画像用の映像信号であると判定された場合には、ＯＡ画像用のバイアス電圧Ｖｒｂを制御信号Ｖｒとしてインバータ５に出力することで、バックライト電圧Ｖ１を小さくして、バックライト装置７が発する光を暗くする点。
　
・上記（キ）、（ク）、（ケ）を総合すれば、
（コ）「信号判別回路９が、
　映像信号Ｓ１の水平同期信号をカウンタによりカウントして、その値がしきい値より小さければ前記映像信号Ｓ１をＡＶ画像用の映像信号と判断し、その値がしきい値より大きければ前記映像信号Ｓ１をＯＡ画像用の画像信号と判断し、
　輝度判定回路４が、
　信号判別回路９において、前記映像信号Ｓ１がＡＶ画像用の映像信号であると判定された場合には、ＡＶ画像用の制御信号Ｖｒによりバックライト電圧Ｖ１を大きくして、バックライト装置７が発する光を明るくし、
　信号判別回路９において、前記映像信号Ｓ１がＯＡ画像用の映像信号であると判定された場合には、ＯＡ画像用の制御信号Ｖｒによりバックライト電圧Ｖ１を小さくして、バックライト装置７が発する光を暗くする点。」
　
　したがって、上記（ア）ないし（コ）の事項を総合勘案すれば、引用刊行物には、
「複数の液晶表示素子、
をマトリックス状に配したＬＣＤパネル６と、
　バックライト電圧Ｖ１をバックライト装置７に供給するインバータ回路５と、
　前記ＬＣＤパネル６の後部に位置し、前記バックライト電圧Ｖ１に応じた輝度で光をＬＣＤパネル６の後ろから照射するバックライト装置７と、
　映像信号発生源１’から供給される映像信号Ｓ１に基づき、ＬＣＤ駆動信号Ｓ２を生成してＬＣＤパネル６に出力するＬＣＤ駆動回路３と、
　映像信号発生源１’から供給される映像信号Ｓ１に応じて、前記インバータ回路５にバックライト電圧Ｖ１を切り換える制御信号Ｖｒを出力する輝度切換回路４と、
　信号判別回路９、
を含む液晶表示装置であり、
　前記信号判別回路９が、
　映像信号Ｓ１の水平同期信号をカウンタによりカウントして、その値がしきい値より小さければ前記映像信号Ｓ１をＡＶ画像用の映像信号と判断し、その値がしきい値より大きければ前記映像信号Ｓ１をＯＡ画像用の画像信号と判断し、
　前記輝度切換回路４が、
　信号判別回路９において、前記映像信号Ｓ１がＡＶ画像用の映像信号であると判断された場合には、ＡＶ画像用の制御信号Ｖｒによりバックライト電圧Ｖ１を大きくして、バックライト装置７が発する光を明るくし、
　信号判別回路９において、前記映像信号Ｓ１がＯＡ画像用の映像信号であると判定された場合には、ＯＡ画像用の制御信号Ｖｒによりバックライト電圧Ｖ１を小さくして、バックライト装置７が発する光を暗くする、
液晶表示装置。」の発明（以下、「引用発明」という。）が記載されている。
　
４　対比
　本願発明と引用発明とを比較する。
　
（ア）引用発明の「液晶表示素子」に画素電極が含まれていることは、液晶表示装置の技術分野においては明らかなことであるから、
引用発明の「ＬＣＤパネル６」と本願発明の「ＬＣＤパネル」とは、画素電極を備えている点で共通する。
　
（イ）引用刊行物の【０００６】の「ビデオ映像等の動画像（以下「ＡＶ画像」という）」及び「パーソナルコンピュータ等の静止画像（以下「ＯＡ画像」）」との記載から、引用発明の「ＡＶ画像」は本願発明の「動映像」に、引用発明の「ＯＡ画像」は本願発明の「停止映像」に、それぞれ相当する。
　
（ウ）「バックライト電圧Ｖ１をバックライト装置７に供給するインバータ回路５」は、本願発明の「所定のバックライト駆動電圧を出力する電力変換器」に相当する。
　
（エ）引用発明の「前記ＬＣＤパネル６の後部に位置し、前記バックライト電圧Ｖ１に応じた輝度で光をＬＣＤパネル６の後ろから照射するバックライト装置７」は、
本願発明の「ＬＣＤパネルの後面に配置され、前記バックライト駆動電圧に応じた輝度で光を前記ＬＣＤパネルの後面に照射するバックライト部」に相当する。
　
（オ）引用発明の「ＬＣＤ駆動回路３」、「輝度切換回路４」及び「信号判別回路９」と、本願発明の「タイミング制御部」とは、
外部から入力される映像信号に応じて信号を出力する点、
電力変換器にバックライト駆動電圧のレベルを指示するためのバックライト制御信号を出力する点、
映像信号の特性をチェックして、前記映像信号の示す映像の種類が動映像と停止映像のいずれであるのかを判別する点、及び、
映像信号の示す映像の種類が停止映像であると判定した場合には、バックライト制御信号の示すバックライト駆動電圧のレベルを一定に維持することによって前記バックライト部の輝度を一定に制御する点で、それぞれ共通する。
　
　したがって、本願発明と引用発明の両者は、
「複数の画素電極、
を備えているＬＣＤパネルと、
　所定のバックライト駆動電圧を出力する電力変換器と、
　前記ＬＣＤパネルの後面に配置され、前記バックライト電圧に応じた輝度で光を前記ＬＣＤパネルの後面に照射するバックライト部と、
　外部から入力される映像信号に応じて信号を出力し、前記電力変換器にはバックライト駆動電圧のレベルを指示するためのバックライト制御信号を出力するタイミング制御部、
を含む液晶表示装置であり、
　前記タイミング制御部は、前記映像信号の特性をチェックして、前記映像信号の示す種類が動映像と停止映像とのいずれであるのかを判別し、
　前記映像信号の示す映像の種類が停止映像であると判定した場合には、バックライト制御信号の示すバックライト駆動電圧のレベルを一定に維持することによって前記バックライト部の輝度を一定に制御する、
液晶表示装置。」の点で一致し、以下の点で相違する。
　
［相違点１］
　ＬＣＤパネルに関し、
　本願発明が、
「　複数のゲートライン、
　複数のデータライン、
　各々が前記複数のゲートラインのいずれかと前記複数のデータラインのいずれかとに連結され、そのゲートラインからの走査信号に応じて動作する複数のスイッチング素子、及び、
　前記複数のスイッチング素子の各々に一つずつ連結されて、そのスイッチング素子の動作に応じて、そのスイッチング素子に連結されたデータラインから画像信号を受ける複数の画素電極」を備えているのに対し、
　引用発明は、複数の液晶表示素子を備えている点、すなわち、複数の画素電極を備えていることだけが、明示されている点。
　
［相違点２］
　液晶表示装置に関し、
　本願発明が、
「前記複数のゲートラインに走査信号を順番に出力するゲートドライバーと、
　前記複数のデータラインに画像信号を出力するデータドライバー」とを有するのに対し、
　引用発明は、「ゲートドライバー」及び「データドライバー」に相当する構成を有しているか否か、明記されていない点。
　
［相違点３］
　ＬＣＤパネルの制御に関し、
　本願発明のタイミング制御部が、
「外部から入力される映像信号とタイミング信号とに応じて、前記ゲートドライバーには走査信号を出力させるための信号を出力し、前記データドライバーには画像信号を出力させるための信号を出力」する機能を有するのに対し、
　引用発明のＬＣＤ駆動回路３は、映像信号発生源１’から供給される映像信号Ｓ１に基づき、ＬＣＤ駆動信号をＬＣＤパネル６に出力する点のみが、明示されている点。
　
［相違点４］
　映像信号の示す映像の種類が動映像である場合の制御に関し、
　本願発明のタイミング制御部が、
「映像信号の示す映像の種類が動映像であると判定した場合には、前記映像信号によって要求される輝度の高低に応じて、バックライト制御信号の示すバックライト駆動電圧のレベルを調節することによって前記バックライト部の輝度を増減させ」る機能を有するのに対し、
　引用発明の「輝度切換回路４」及び「信号判別回路９」は、
「前記映像信号Ｓ１がＡＶ用の映像信号であると判断された場合には、ＡＶ画像用の制御信号Ｖｒによりバックライト電圧Ｖ１を大きくすることで、バックライト装置７の発する光を明るく」している点。
　
５　当審の判断
［相違点１ないし３について］
　液晶表示装置の技術分野において、ＬＣＤパネルが、「複数のゲートライン」、「複数のデータライン」、「各々が複数のゲートラインのいずれかと複数のデータラインのいずれかとに連結され、そのゲートラインからの走査信号に応じて動作する複数のスイッチング素子」及び「複数のスイッチング素子の各々に一つずつ連結されて、そのスイッチング素子の動作に応じて、そのスイッチング素子に連結されたデータラインから画像信号を受ける複数の画素電極」を備えていることは、技術常識である。例えば、特開平７−１９９８７３号公報の「走査ライン１」、「データライン２」、「スイッチング素子３」及び「画素容量（電極）４」（【０００３】、【０００４】、図３）に関する記載や、特開平７−５６５４４号公報の「ゲートバスラインＧｎ」、「データバスラインＳｍ」、「スイッチング素子（ＴＦＴ）Ｑｎｍ及びＰｎｍ」及び「画素ＶＤｎｍ」（【００３０】ないし【００３５】、図１、４、５）に関する記載を参照されたい。
　
　また、液晶表示装置において、複数のゲートライン及び複数のデータラインを有するＬＣＤパネルを駆動するために、ゲートドライバー及びデータドライバーを備えていることは、技術常識である。必要であれば、上記特開平７−１９９８７３号公報の「ゲートドライバ９」及び「ドレインドライバ１１」（【０００４】、図３）に関する記載や、上記特開平７−５６５４４号公報の「ゲートドライバＡ２」及び「データドライバＡ１」（【００３３】、図５）に関する記載を参照されたい。
　
　さらに、液晶表示装置において、映像信号とタイミング信号とに応じて、ゲートドライバーに走査信号を出力させるための信号を出力し、データドライバーには画像信号を出力させるための信号を出力するような制御をおこなう技術もまた、液晶表示装置が当然に有している一般的な技術である。例えば、上記特開平７−１９９８７３号公報（【００２４】ないし【００２９】）や、上記特開平７−５６５４４号公報（【００３４】ないし【００３５】）を参照されたい。
　
　してみれば、引用発明の液晶表示装置が、上記相違点１に係る本願発明の発明特定事項、上記相違点２に係る本願発明の発明特定事項、及び、上記相違点３に係る本願発明の発明特定事項を備えていることは、明らかである。
　したがって、相違点１、相違点２及び相違点３は、実質的な相違点ではない。
　
［相違点４について］
　動画の表示装置において、動画の鮮明な表示や迫力ある動画の表示のために、動画の輝度とダイナミックレンジ（コントラスト）を高くするという課題は、周知の課題である。例えば、特開平１０−１８７１２７号公報の「従来の表示装置は、非動画と動画の区別なく同じレベルで輝度及びコントラストが設定されるので、……かつ文字が明るすぎて読む際に目が疲れるとともに、逆に、明るさを非動画部分の文字に合わせて最適な位置に調整すると、動画が暗すぎて自然色が鮮明にできない課題を抱えていた。」（【０００３】）及び「本発明の表示装置によれば、非動画用と動画用とのコントラスト及び輝度調整を各々独立して調整できるため、動画表示に対しては、コントラスト及び輝度を高めに設定でき、かつ文字等の非動画表示に対しては、文字つぶれやフォーカスを劣化させずに解像度を優先させ、かつ目を疲れさせない適度の明るさに調整できる効果がある。」（【００１５】）との記載や、特開平８−２０５０４９号公報の「テレビジョン映像のように動画の場合は輝度およびコントラストを高めにし、迫力のある映像を表示するようにする。」（【０００８】）との記載を参照されたい。
　
　そして、動画のダイナミックレンジ（コントラスト）を高くする技術として、動画の内容に応じてバックライトの輝度を増減制御する技術自体も、周知技術である。例えば、特開平９−８４０３８号公報の「そこで、以下に述べるように、光源の光量制御を適用することにより、時空間での変化を持つ動画に対して、より効率的な画像を作ることが可能となる。」（【０１０７】）との記載、及び、「光源制御回路２００によりランプ２の入力は、このピーク値Ｐに比例した明るさに制御される。このように、画面の最大輝度に併せた光源制御をすることにより、液晶パネルでの光損失を最小に抑えることができると同時に、時空間まで考慮に入れたダイナミックレンジを広くすることが可能になる。」（【０１０９】）との記載を参照されたい。
　さらに、映像の内容に応じてバックライトの輝度を増減制御する技術に関しては、原査定の拒絶の理由に引用された特開平５−１２７６０８号公報（【００１８】）及び特開平９−２４４５４８号公報（【００２７】、【００２８】）、並びに、上記特開平９−８４０３８号公報の記載も、参照されたい。
　
　また、液晶表示装置のようなバックライトを用いる表示装置一般において、映像にあわせてバックライトの輝度を適切に制御することにより、バックライトの消費電力を小さくする技術も、周知技術である。例えば、上記特開平９−２４４５４８号公報（【００２７】）の記載を参照されたい。なお、消費電力を小さくするという課題自体は、表示装置一般における普遍的な課題でもある。
　
　そして、引用刊行物の上記＜記載事項５＞に記載されているように、引用発明は、ＡＶ画像を鮮明に表示するためにバックライト電圧Ｖ１を制御して輝度を高くする技術を用いているが、上記のとおり、輝度だけでなくコントラストも高めたいという動画表示における課題が周知であるのだから、引用発明において、映像の内容に応じてバックライトの輝度を増減制御することによりコントラストを高くする上記周知技術を適用することは、当業者が容易に想到し得ることである。
　しかも、引用発明は、引用刊行物の上記＜記載事項１４＞に示唆されているように、表示装置の低消費電力化も意図しているから、同じく低消費電力化につながるバックライトの輝度を増減制御する上記周知技術を適用することは、低消費電力化の観点からも、当業者が容易に想到し得ることである。
　そして、上記周知技術の適用を阻害する要因も、特段存在しない。
　
　したがって、相違点４に係る本願発明の発明特定事項は、引用発明及び各周知技術に基いて、当業者が容易に想到し得る事項である。
　
　なお、引用発明のＯＡ画像の表示に関し、ＯＡ画像のような静止画の表示において、輝度やコントラストを高くすると目の負担になるということは、周知の事実である。例えば、引用刊行物の＜記載事項５＞及び＜記載事項１５＞、並びに、上記特開平１０−１８７１２７号公報（【００１５】）を参照されたい。
　また、ＯＡ画像自体が変化の少ない画像であるから、ＯＡ画像の表示には映像にあわせて輝度を増減するという必要性もないことは、上記特開平９−８４０３８号公報に開示されている技術が「時空間での変化を持つ動画に対して」適用されるものであることからも、明らかである。
　してみれば、上記バックライトの輝度を増減制御する周知技術は、静止画像であるＯＡ画像に対して適用されるものではない。
　
　そして、本願発明が奏する効果は、引用発明及び上記周知技術から、当業者が予測し得る範囲内のものであって、格別なものではない。
　
　したがって、本願発明は、引用発明及び上記周知技術に基いて当業者が容易に発明をすることができたものである。
　
６　まとめ
　本願発明は、引用発明及び上記周知技術に基いて当業者が容易に発明をすることができたものであるから、特許法第２９条第２項の規定により特許を受けることができない。
　
　したがって、他の請求項に係る発明について審理するまでもなく、本願は拒絶すべきものである。
　
　よって、結論のとおり審決する。